(57)【要約】【課題】従来のごみとりはごみとりの奥のごみ止め壁が垂直に近いか、袋小路状になっているため箒で集めたごみ等をごみとりに掃きいれる際、特に空気に乗って移動しやすい軽い綿ほこりやちり等は、空気とともに舞い上がったり逆流してきたりして外へ飛び出てしまいごみとりの中になかなか入らず収集が困難で苦労している。【解決の手段】本発明は、従来からのごみとりの奥に設置されている垂直や袋小路状のごみ止め壁を無くし、このごみ止め壁の代わりに円弧様の上昇曲線形のごみ止めスロープを設ける。そして、箒の掃き込みによって生ずる空気やごみ等を平坦な底面やごみ止めスロープ上を通過させる。このとき空気の移動速度とごみ等の自重との関係を利用してごみ等と空気を分離させ空気をごみとりの後方へ吐き出す。特に軽いごみや綿ほこりやちり等は逆流、飛び出しはなくほとんどがごみ止めスロープ上で沈下停止して掃き集めやすく掃き取りやすい構造のごみとりの発明である。【選択図】  図１
2008253639.tif 000002
【特許請求の範囲】
【請求項１】
ごみとりのごみ等掃き込み口から奥へ平坦な底面を少し（10cm前後）設けその先から底全面を奥に行くにつれて上昇し左右のごみ等誘導側壁上部と同じ高さまで円弧様に伸ばした上昇曲線形で長さはごみ等の掃き込み口の平坦な底面の奥行きの長さ1に対して3倍前後にしたごみ止めを兼ねたスロープ（以下「ごみ止めスロープ」という。）を設けごみ止めスロープ上には普通のごみや空気に浮遊する軽い綿ほこりやちり等（以下「ごみ等」という。）を沈下停止させるために左から右へ高さ１〜２mmぐらいの細長い山の線を幾筋も水平に入れる又は、高さ1〜２mmぐらいのイボ状に隆起した小山を散りばめる等の障害物を設け、このごみとりのごみ等掃き込み口、平坦な底面、ごみ止めスロープの両側には、箒により掃き込んだ空気を含むごみ等がごみとりの中を通り奥の方の空気吐き出し口（ごみ止めスロープの先端）までスムースに誘導されるようにごみ等誘導側壁を設け、ごみとりの操作握り取っ手は掃き込んだ空気を含むごみ等がごみとりの中をスムースに流れ通過させるための障害にならないよう左右のごみ等誘導側壁に馬が四つん這いになったような形に取り付け箒で掃き込まれた空気を含むごみ等はこのごみとりの中へ入ったらごみとりの底面を通りごみ止めスロープを通り最後の空気吐き出し口（ごみ止めスロープの先端）へ行くまでに空気の移動速度と自重との関係により自然に沈下停止し空気はごみとりの後方へ放出する方式によりほこりを舞い上げさせないで静かにごみ等を掃き集め取りやすくした特徴を持ったごみとり
【発明の詳細な説明】
【技術分野】
【０００１】
従来から使用されてきているごみとりは箒でごみ等を掃き込む時空気に浮遊し移動しやすい軽い綿ほこりやちり等はごみとりの中へ入らないで、舞い上がって外へ出てしまい掃き集めて取ることが非常に困難である。本発明はこの空気に浮遊し移動しやすい軽い綿ほこりやちり等の舞い上げを少なくして簡単に箒でごみとりに掃き集めやすく取りやすくしたごみとりに関するものである。
【背景技術】
【０００２】
従来のごみとりは、箒でごみ等を掃き集め取る際ごみ等がごみとりの後ろへ飛び出ないようにごみとりの奥の方（後方）に、垂直に近いごみ止め壁図3の（１）の16又は、波返しのような障壁を設けて袋小路形にしたごみ止め壁図３の（２）の17を設けたもの及びこれらに近い形の壁を設けた発明である。
【発明の開示】
【発明が解決しようとする課題】
【０００３】
以上述べたように従来のごみとりは、図３の（１）のようにごみとりの奥の方に垂直のごみ止め壁16を設けたり、（２）のようにごみとりの奥の方に波返しのような障壁を設けて袋小路形にしたごみ止め壁17を設けたりして掃き入れたごみ等が後方へ飛び出ないように作られている。
【０００４】
したがって、ごみ等の中でも空気に浮遊し移動しやすい綿ほこりやちり等のような軽いごみは一旦ごみとりの中へ入るが奥の方に垂直のごみ止め壁図3の（1）の16や波返しのような障壁を設けた袋小路形にしたごみ止め壁図３の（2）の17があるために空気とともに舞い上がったり逆流したりして外へ飛び出してきてしまうので掃き取る動作を繰り返し繰り返し行なっているが掃き集め取る効果が少なく非常に苦労している。
【０００５】
最後に、どうしてもごみとりの中に掃き集め取ることができない空気に浮遊し移動する軽い綿ほこりやちり等はその場で箒により掃きちらして終了するのが常である。
【０００６】
特に、学校、工場、電車等の駅の階段・通路、事務所内・廊下、家の中等の角に溜まる綿ほこりやちり等は従来のごみとりの形態では掃き取りにくいので最後に箒で掃き散らされたり又は、放置されたりして非衛生的でコンピュータ等精密器機の故障等の原因になり支障をきたしている。
【０００７】
また、従来からのごみとりの使用を最初から諦め「エネルギーを消費しても電気掃除機でないと綿ほこり、ちり等は取り除くことができないので電気掃除機に頼るしか方法がない。」と思い込み単純なごみ等の掃き集めに高価な電気掃除機を購入して無駄な電気エネルギーを消費したり電気掃除機のセット準備に無駄な労力を費やしたりしているのが現状である。
【０００８】
本発明は、このような問題を解決するため従来からのごみとりを改善し電気掃除機に近い機能（空気に浮遊する綿ほこりやちり等の掃き取り）を持ち軽くて故障もなく大人、子供を問わず誰でもがいつでも簡単に持ち運び使用ができ安全性が高く電気エネルギーの節約にもなり身体を使うため健康づくり等にも役立ち従来のごみとりよりも空気に浮遊する軽い綿ほこりやちり等が掃き集めやすく取りやすいごみとりの実現を目的とするものである。
【課題を解決するための手段】
【０００９】
本発明は、空気の流れに乗って浮遊して飛び動く軽い綿ほこりやちり等のごみをスムースにごみとりの中へ掃き入れるため、従来から使用されているごみとり図３の（１）の垂直のごみ止め壁16、（２）の波返しのような形のごみ止め壁17を取り除きごみとり図1の掃き込み口1から平坦な底面2を少し設けその先にごみ止めスロープ５を設ける。このごみ止めスロープ５の奥の方の底面の（空気吐き出し口６）の高さはごみとりの左右両側に設けるごみ等誘導側壁３・４の高さと同じ高さまで上昇させる。
【００１０】
そして、このごみ止めスロープ５にごみ等の沈下停止効果を上げるため左から右へ高さ１〜２mmぐらいの細長い山の線７を幾筋も水平に入れる又は、高さ１〜２mmぐらいのイボ状に隆起した小山８を散りばめる等の方法により障害物を設ける。
【００１１】
ごみとりの操作握り取っ手９は、掃き込んだ空気を含むごみ等をごみとりのごみ等の掃き込み口１から中に入り平坦な底面２からごみ止めスロープ５を通り空気吐き出し口６へスムースに通過させるために障害物にならないよう左右のごみ等誘導側壁に馬が四つん這いになったような形に４本の支柱１1・1２・１3・１4を取り付ける。
【００１２】
このような形態（構造）にすることにより箒の掃き入れ動作により発生する空気やごみ等はごみとりの平坦な底面2の上を通りごみ止めスロープ５を上昇通過し空気の吐き出し口６を通りごみとりの後方へ進むようになる。
【００１３】
このときごみ等は空気の移動速度と自重との関係により空気から分離されごみとりの平坦な底2及びごみ止めスロープ５に重い物から順次沈下する。ごみ等が沈下して分離された空気は空気吐き出し口6を通りごみとりの後方へ放流される。いわゆるごみ等はごみとりの平坦な底面２及びごみ止めスロープ５の上にほこりを立てないで自然に集まり掃き取りやすい特徴を持ったごみとりの発明である。
【発明の効果】
【００１４】
上述したように本発明のごみとりはごみ等が掃き集めやすく取りやすくなり掃き取る労力も少なく効率的であるので電気掃除機等に頼ることも少なくなり電気エネルギーの節約、保管場所も小面積で軽く子供でも簡単に使用持ち運びができ取り扱いにおいても危険性も少なく学校、工場、電車等の駅の階段・通路、事務所内、家の内外等あらゆるところにおいて使用効果が期待できる。
【発明を実施するための最良の形態】
【００１５】
以下本発明の実施形態を図１に基づいて説明する。
【００１６】
図1において１は、ごみ等の掃き込み口である。
【００１７】
2は、ごみ等が最初に通過又は沈下する平坦な底面である。
【００１８】
3・４は、ごみ等をごみ等の掃き込み口1からごみとりの平坦な底面2及びごみ止めスロープ5を通り空気吐き出し口6へスムースに誘導するため左右に同じ形をした側壁である。
なお、このごみ等誘導側壁３・４の手前先端部分には箒を使用するときにごみ等を掃き込みしやすくするため斜めの切込み３−１・４−１を入れ掃き込みが円滑にできるようにする。
【００１９】
5は、ごみ等の掃きこみ口１の平坦な底面2の奥の端から底面全面を奥に行くにつれて上昇し左右のごみ等誘導側壁の上部と同じ高さまで円弧様に伸ばした上昇曲線形で長さはごみ等掃き込み口1の平坦な底面２の奥行きの長さに対して3倍前後にした円弧様の上昇曲線形（奥に行くにつれて上昇する）のごみ止めスロープである。
【００２０】
このごみ止めスロープは図２に示すように平坦な底２の奥のA地点から出る円弧様の上昇曲線（A点の角AC軸に対し角BC（勾配）は5度から30度ぐらいで緩やかに上昇）とごみ等誘導側壁の上部の奥の先端の空気吐き出し口6のＢ点から下がる下降曲線（Ｂ点のＢＣ軸に対し角AＣは20度から50度ぐらいで下降）をつないでできる円弧形の曲線である。
【００２１】
なお、特に軽い綿ほこり、ちり等で微粒のもの等を対象に集め取る場合はこのごみ止めスロープ5の傾斜を奥の方へ長く（ごみ止めスロープの上昇曲線（円弧曲線）の半径を大きくしたような形状でできる円弧曲線）すると収集効果が高まる。
【００２２】
6は、箒によりごみ等をごみとりの中へ掃き込む際生ずる空気をごみとりの中を通り後方へ吐き出すための空気吐き出し口である。
【００２３】
７は、ごみ止めスロープ5の表面にスロープに対し左から右へ水平に入れる高さ１〜２mm前後の細い山の線であり、８は高さ１〜２mm前後のイボ状に隆起した小山を散りばめたものでともに軽い綿ほこりやちり等の沈下停止の効果を得るために設けるものである。
【００２４】
９は、ごみとりの操作握り取っ手部でごみとりの重心中央上部より少し後部位置に4本の支柱11・12・13・14・を取り付けごみとりを上下左右に操作したときに絶える強度を有する。
【００２５】
なお、4本の支柱11・12・13・14はごみの掃き込み作業やごみ等の掃き込み時に発生する空気やごみ等の通過障害にならないよう左右のごみ等誘導側壁３・４に馬が四つん這い状の形になるように前2本の支柱11・12・はごみ掃き込み口より少し中心寄りの奥へ入ったところに、後2本の支柱13・14は空気吐き出し口6より中心寄りの手前に戻ったところに取り付ける。
【００２６】
10は、ごみとりの操作握り取って部９の補助部として取り付けごみとり操作時の握り取っ手の力配分等の用に使用し使用に耐え得る強度を有するとともに箒を使用しないときに箒を引っ掛けたりもたれ掛けたりするときに活用できる形とする。
【００２７】
15は、ごみ等をごみとりに掃き入れる時箒の前後運動により生じた空気がごみとりの中を通り空気吐き出し口６へ出て行く空気の流れを表す矢印である。
【産業上の利用可能性】
【００２８】
従来のごみとりは、特に空気に浮遊し移動しやすい軽い綿ほこりやちり等の掃き込みがうまくできずなかなか困難で掃き集めが中途半端になってしまっている。
本発明によるごみとりは、普通の重いごみは無論のこと空気に浮遊し移動しやすい軽い綿ほこりやちり等（ほとんどのごみ等）が簡単に箒で掃き集めやすく取りやすいので学校、工場、電車等の駅構内の階段・通路、事務所内、家の内外等におけるごみの種類を問わず収集範囲が広く使い方によっては電気掃除機の作業分野の一部まで代用使用できる。
【００２９】
また、ごみ等を掃き集める場所によっては電気掃除機を使用するより本発明によるごみとりを使用すれば掃除時間の短縮、電気エネルギーの節約、電気掃除機より重量が軽く取り扱いが簡単でごみ等の掃き集め掃き取りがしやすく事故も少なく、大人から小さい子供まで使用が可能で毎日楽しく掃除ができる。いいかえれば綿ほこりやちり等がごみとりの中へ自然に入ってくるという感じなので従来のごみとりより一層の利用が期待できる。
【図面の簡単な説明】
【００３０】
【図１】本発明のごみとりの斜視図
【図２】本発明のごみ止めスロープ（ごみとりの箱部分）の側面図
【図３】従来の基本的なごみとりの斜視図        （1）ごみとりの奥（後方）に垂直に近いごみ止め壁を設けたごみとり図        （2）ごみとりの奥（後方）に波返しのような障壁を設け袋小路形にしたごみとり図
【符号の説明】
【００３１】
１  ごみ等の掃き込み口
２  ごみとりの平坦な底面
３  ごみ等を誘導するための左側のごみ等誘導側壁
３−１  左側のごみ等誘導側壁の切りこみ
４  ごみ等を誘導するための右側のごみ等誘導側壁
４−１  右側のごみ等誘導側壁の切りこみ
５  円弧様の上昇曲線形（奥に行くにつれて上昇する）のごみ止めスロープ
６  空気吐き出し口
７  1〜２mmの前後の高さの細い山の線
８  1〜２mmの前後の高さのイボ状に隆起した小山
９  ごみ取り操作握り取っ手部
10  ごみとり操作握り取っ手部の補助部でごみとり操作時の握り取っ手の力配分用に使用するとともに箒を使用しないときの箒を引っ掛けたり、もたれ掛けたりすることに活用する
11  ごみとりの操作握り支柱で左側のごみ等誘導側壁の手前部分に取り付ける
12  ごみとりの操作握り支柱で右側のごみ等誘導側壁の手前部分に取り付ける
13  ごみとりの操作握り支柱で左側のごみ等誘導側壁の奥部分に取り付ける
14  ごみとりの操作握り支柱で右側のごみ等誘導側壁の奥部分に取り付ける
15  ごみとりに箒でごみを掃きいれたときの空気の流れ
16  従来のごみとりの垂直のごみ止め壁
17  従来のごみとりの波返しのようにそり返した袋小路形のごみ止め壁
Ａ  ごみとりの平坦な底面2とごみ止めスロープ５の始点との接点（A点）
Ｂ  ごみとりのごみ等誘導側壁３・４の奥の上端とごみ止めスロープ５の奥の上端（空気吐き出し口６）との接点（Ｂ点）
Ｃ  Ｂ点から垂直に下降した線との交点（Ｃ点）
【図１】
2008253639.tif 000003
【図２】
2008253639.tif 000004
【図３】
2008253639.tif 000005
【手続補正書】
【提出日】平成19年9月11日(2007.9.11)
【手続補正１】
【補正対象書類名】特許請求の範囲
【補正対象項目名】請求項１
【補正方法】変更
【補正の内容】
【請求項１】
ごみとりのごみ等掃き込み口から奥へ平たんな底面を少し（１０ｃｍ前後）設けその先から全面を奥に行くにつれて上昇し左右のごみ等誘導側壁上部と同じ高さまで円弧様に伸ばした上昇曲線形で奥行きはごみ等の掃き込み口の平坦な底面の奥行き1に対し3倍前後の長さにしてごみ止め機能とごみを留らせる機能と普通のごみ・綿ほこり・ちり等と空気の二つに分ける機能の3機能を兼ね備えたスロープ（以下「スロープ」という。）を設けこのスロープ上に普通のごみや空気に浮遊し移動する軽い綿ほこりやちり等（以下「ごみ等」という。）を沈下停止させるために左から右へ高さ１〜2mmぐらいの細長い山の線を幾筋も水平に設け又は、１〜２mmぐらいのイボ状に隆起した小山を散りばめる等の障害物を設け、平坦な底面、スロープの両側には箒により掃き込んだ空気を含むごみ等がごみとりの中を通り奥の方の空気吐き出し口（スロープの先端）までスムースに誘導されるように高さ１７ｃｍ前後のごみ等誘導側壁を設け、ごみとりの操作握り取っ手は掃き込んだ空気を含むごみ等がごみとりの中をスムースに流れ通過させるための障害にならないよう左右のごみ等誘導側壁に馬が四つん這いになったような形に取り付け箒で掃き込まれた空気を含むごみ等はごみとりの底面を通りスロープを通り最後の空気吐き出し口へ行くまでに空気の移動速度と自重との関係により自然に沈下停止させ空気をごみとりの後方へ放出する方式によりほこりを舞い上げさせないで静かにごみ等を掃き集め取りやすくした特徴を持ったごみとり
【手続補正２】
【補正対象書類名】明細書
【補正対象項目名】全文
【補正方法】変更
【補正の内容】
【発明の詳細な説明】
【技術分野】
【０００１】
従来から使用されてきているごみとりは箒で普通のごみや空気に浮遊し移動しやすい軽い綿ほこりやちり等（以下「ごみ等」という。）をごみとりの中へ掃き込もうとすると空気に浮遊し移動しやすい軽い綿ほこりやちり等（以下「ちり等」という。）はごみとりの中へ入らないで宙に舞い上がって外へ飛び出てしまいごみとりの中へ掃き集めて取ることが非常に困難である。本発明はこのちり等の舞い上げを少なくして簡単に箒でごみとりの中に掃き集めやすくしたごみとりに関するものである。
【背景技術】
【０００２】
従来のごみとりは、箒でごみ等を掃き集め取る際ごみ等がごみとりの後ろへ飛び出ないようにごみとりの奥の方(後方)に、垂直に近いごみ止め壁図３の(１)の１６又は、波返しのような障壁を設けて袋小路形にしたごみ止め壁図３の（２）の１７を設けたもの及びこれらに近い形の壁を設けた発明である。
【発明の開示】
【発明が解決しようとする課題】
【０００３】
以上述べたように従来のごみとりは、図３の(１)のようにごみとりの奥の方に垂直のごみ止め壁１６を設けたり、(２)のようにごみとりの奥の方に波返しのような障壁を設けて袋小路形にしたごみ止め壁１７を設けたりして掃き入れたごみ等が後方へ飛び出ないように作られている。                                            
【０００４】
したがって、ごみ等の中でもちり等のような軽いごみは一旦ごみとりの中へ入るが奥の方に垂直に近いごみ止め壁図3の（１）の16や波返しのような障壁を設けた袋小路形にしたごみ止め壁図3の（２）の１７等があるためそのごみ止め壁に突き当たり空気とともに舞い上がったり逆流したりして外へ飛び出してしまうので掃き取る動作を繰り返し繰り返し行っているが掃き集め取る効果が少なく非常に苦労している。
【０００５】
最後に、どうしてもごみとりの中に掃き集め取ることができないちり等はその場で箒により掃き散らして終了するのが常である。
【０００６】
特に、学校、工場、電車等の駅の階段・通路、事務所内・廊下、家の中等の角に溜まるちり等は従来のごみとりの形態では掃き取りにくいので最後に箒で掃き散らされたり又は、放置されたりして非衛生的でコンピュータ等精密機器の故障等の原因になり支障をきたしている。
【０００７】
また、従来からのごみとりの使用を最初から諦め「エネルギーを消費しても電気掃除機でないとちり等は取り除くことができないので電気掃除機に頼るしか方法がない。」と思い込み単純なごみ等の掃き集めに高価な電気掃除機を購入した無駄な電気エネルギーを消費したり電気掃除機のセット準備に無駄な労力を費やしたりしているのが現状である。
【０００８】
本発明は、このような問題を解決するため従来からのごみとりを改善し電気掃除機に近い機能（ちり等の掃き取り）を持ち軽くて故障もなく大人、子供を問わず誰でもがいつでも簡単に持ち運び使用ができ安全性が高く電気エネルギーの節約にもなり身体を使うため健康つくり等にも役立ち従来のごみとりよりちり等が掃き集めやすく取りやすいごみとりの実現を目的とするものである。
【課題を解決するための手段】
【０００９】
本発明は、ちり等のごみをスムースにごみとりの中へ掃き入れるため、従来から使用されているごみとり図３の（１）の垂直に近いごみ止め壁１６、（２）の波返しのような形のごみ止め壁１７を取り除きごみとり図１の掃き込み口１から平坦な底面２を少し設けその先にごみ止めとごみを留らせるために平坦な底面２より３倍前後の奥行きのあるスロープ５（以下「スロープ」という。）を設ける。このスロープ５の奥の方（空気吐き出し口６）の高さはごみとりの左右両側に設けるごみ等誘導側壁３・４の高さＢＣ１７ｃｍ前後と同じ高さまで上昇させる。
【００１０】
そして、このスロープ5にごみ等の沈下停止効果を上げるため左から右へ高さ１〜２mmぐらいの細長い山の線７を幾筋も水平に入れる又は、高さ１〜２mmぐらいのイボ状に隆起した小山８を散りばめる等の方法により障害物を設ける。
【００１１】
ごみとりの操作握り取っ手９は、掃き込んだ空気を含むごみ等をごみとりのごみ等の掃き込み口１から中に入り平坦な底面２からスロープ５を通り空気吐き出し口６へスムースに通過させるために障害物にならないよう左右のごみ等誘導側壁に馬が四つん這いになったような形に４本の支柱１１・１２・１３・１４を取り付ける。
【００１２】
このような形態（構造）にすることにより箒の掃き入れ動作により発生する空気やごみ等はごみとりの平坦な底面２の上を通りスロープ５を上昇通過し空気の吐き出し口６を通りごみとりの後方へ進むようになる。
【００１３】
このときごみ等は、空気の移動速度と自重との関係により空気から分離されごみとりの平坦な底２及びスロープ５に重いものから順次沈下する。ごみ等が沈下して分離された空気は空気吐き出し口６を通りごみとりの後方へ放流される。いわゆるごみ等はごみとりの平坦な底面２及びスロープ５の上にほこりを立てないで自然に集まり掃き取りやすい特徴をもったごみとりの発明である。
【発明の効果】
【００１４】
上述したように本発明のごみとりはごみ等が掃き集めやすく取りやすくなり掃き取る労力も少なく効率的であるので電気掃除機等に頼ることも少なくなり電気エネルギーの節約、保管場所も小面積で軽く子供でも簡単に使用持ち運びができ取り扱いにおいても危険性も少なく学校、工場、電車等の駅の階段・通路、事務所内、家の内外等あらゆるところにおいて使用効果が期待できる。
【発明を実施するための最良の形態】
【００１５】
以下本発明の実施形態を図1〜図3に基づいて説明する。
【００１６】
図１において、１はごみ等の掃き込み口である。
【００１７】
２は、ごみ等が最初に通過又は一部が沈下する奥行きＤＡ10ｃｍ前後の平坦な底面である。
【００１８】
3・4は、箒の掃き込み動作により発生する空気やごみ等をごみ等の掃き込み口1から空気吐き出し口6の方へスムースに誘導するため平坦な底面2及びスロープ5の左右に同じ形をした高さ17ｃｍ前後の側壁で並行して設けられている。なお、このごみ等誘導側壁3・4の手前先端部分には箒を使用するときにごみ等を掃き込みしやすくするため斜めの切り込み3―1・4−1を入れ掃き込みが円滑にできるようにする。
【００１９】
５は、ごみ等の掃き込み口1の平坦な底面2の奥の端Ａから全面を奥に行くにつれて上昇させ左右のごみ等誘導側壁３・4の上部と同じ高さＢＣまで円弧様に伸ばした上昇曲線形で奥行きＡＣは平坦な底面２の奥行きＤＡの３倍前後のＣの垂直線ＢＣまで伸ばしたスロープである。
【００２０】
このスロープ５ＡＢは、図２に示すように平坦な底２の奥のＡから出る円弧様の上昇曲線（Ａの角ＡＣ軸に対し角ＢＣ（勾配）は５度から３０度ぐらいで緩やかに上昇）とごみ等誘導側壁の上部の奥の先端の空気吐き出し口６のＢから下がる下降曲線（ＢのＢＣ軸に対し角ＡＣは２０度から５０度ぐらいで下降）をつないでできる円弧形の曲線である。
【００２１】
なお、特にちり等で微粒のもの等を対象に集め取る場合はこのスロープ５の傾斜を奥の方へ長く（スロープ５の上昇曲線（円弧曲線）の半径を大きくしたような形状でできる円弧曲線）すると収集効果が高まる。
【００２２】
６は、箒によりごみ等をごみとりの中へ掃き込む際生ずる空気をごみとりの中を通りごみとりの後方へ吐きだすための空気吐き出し口である。
【００２３】
７は、スロープ５の表面にごみ等を沈着停止させるため左から右へ高さ１〜２mm前後の細い小山の線で８は、高さ１〜２mm前後のイボ状に隆起した小山を散りばめたものでともに７・８は、ちり等の沈下停止の効果を得るために設けるものであるがそれぞれ単独に設けてもよい。
【００２４】
９は、ごみとりの操作握り取っ手部でごみとりの重心中央上部より少し後部位置に４本の支柱１１・１２・１３・１４を取り付けごみとりを上下左右に操作したときに耐える強度を有する。      
【００２５】
なお、４本の支柱１１・１２・１３・１４はごみの掃き込み作業やごみ等の掃き込み時に発生する空気やごみ等の通過障害にならないよう左右のごみ等誘導側壁３・４に馬が四つん這い状の形になるように前２本の支柱１１・１２はごみ掃き込み口１より少し中心寄りの奥へ入ったところに、後ろ２本の支柱１３・１４は空気吐き出し口６より中心寄りの手前に寄ったところに取り付ける。
【００２６】
１０は、ごみとりの操作握り取っ手部９の補助部として取り付けごみとり操作時の握り取っ手の力配分等の用に使用し使用に耐え得る強度を有するとともに箒を使用しないときに箒を引っ掛けたりもたれ掛けたりする時に活用できる形とする。
【００２７】
１５は、ごみ等をごみとりに掃き入れるとき箒の前後運動により生じた空気がごみとりの中を通り空気吐き出し口６へ出ていく空気の流れを表す矢印である。
【産業上の利用可能性】
【００２８】
従来のごみとりは、特にちり等の掃き込みがうまくできずなかなか困難で掃き集めが中途半端になってしまっている。
本発明によるごみとりは、普通の重いごみは無論ことちり等（ほとんどのごみ等）が簡単に箒で掃き集めやすく取りやすいので学校、工場、電車等の駅の階段・通路、事務所内・廊下、家の中等におけるごみの種類を問わず収集範囲が広く使い方によっては電気掃除機の作業分野の一部まで代用使用できる。
【００２９】
また、ごみ等を掃き集める場所によっては電気掃除機を使用するより本発明によるごみとりを使用すれば掃除時間の短縮、電気エネルギーの節約、電気掃除機より重量が軽く取り扱いが簡単でごみ等の掃き集め掃き取りがしやすく事故も少なく、大人から小さい子供まで使用が可能で毎日楽しく掃除ができる。また、本発明のごみとりは箒によりごみ等を掃き入れていると特に箒の掃き入れ動作に伴いちり等がごみとりの中へ自然に入ってくるという感じのごみとりなので従来のごみとりより一層の利用が期待できる。
【図面の簡単な説明】
【００３０】
【図１】本発明のごみとりの斜視図
【図２】本発明のスロープ５（ごみとりの箱部分）の側面図
【図３】従来の基本的なごみとりの斜視図          （１）ごみとりの奥（後方）に垂直に近いごみ止め壁を設けたごみとり図          （２）ごみとりの奥（後方）に波返しのようなごみ止め壁を設け袋小路形にしたごみとり図
【符号の説明】
【００３１】
１  ごみ等の掃き込み口
２  ごみとりの平坦な底面
３  ごみ等を誘導するための左側のごみ等誘導側壁
３−１  左側のごみ等誘導側壁の切り込み
４  ごみ等を誘導するための右側のごみ等誘導側壁
４−１  右側のごみ等誘導側壁の切り込み
５  円弧様の上昇曲線形（奥に行くにつれて上昇する）のスロープ
６  空気吐き出し口
７  １〜２mm前後の高さの細い山の線
８  １〜２mm前後の高さのイボ状に隆起した小山
９  ごみとり操作握り取っ手部
１０  ごみとり操作握り取っ手部の補助部でごみとり操作時の握り取っ手の力配分用に使用するとともに箒を使用しない時の箒を引っ掛けたり、もたれ掛けたりすることに活用する
１１  ごみとり操作握り支柱で左側のごみ等誘導側壁の手前部分に取り付ける
１２  ごみとり操作握り支柱で右側のごみ等誘導側壁の手前部分に取り付ける
１３  ごみとり操作握り支柱で左側のごみ等誘導側壁の奥部分に取り付ける
１４  ごみとり操作握り支柱で右側のごみ等誘導側壁の奥部分に取り付ける
１５  ごみとりに箒でごみを掃き入れた時の空気の流れ
１６  従来のごみとりの垂直のごみ止め壁
１７  従来のごみとりの波返しのようにそり返した袋小路形のごみ止め壁
Ａ  ごみとりの平坦な底面２の終点とスロープ５の始点との接点
Ｂ  ごみとりのごみ等誘導側壁３・４の奥の上端とスロープ５の奥の上端（空気吐き出し口６）との接点
Ｃ  Ｂ点から垂直に下降した線との交点
Ｄ  ごみとりの平坦な底面２の始点（ごみ等の掃き込み口１）
【手続補正３】
【補正対象書類名】図面
【補正対象項目名】図１
【補正方法】変更
【補正の内容】
【図１】
2008253639.tif 000006
【手続補正４】
【補正対象書類名】図面
【補正対象項目名】図２
【補正方法】変更
【補正の内容】
【図２】
2008253639.tif 000007